(57)【要約】【課題】  光ディスク装置において、ファンを回転させることによって発生する十分な量の空気流がドライブユニットの内部を経由した後に筐体の外部に排出されるようにして冷却効果を高める。空気流の流れ経路の制御に整流板を用いると共に、配線基板に搭載したトランスにも整流機能を持たせて整流板を小形化する。【解決手段】  配線基板４０とドライブユニット５０とを収容する筐体２０に通風口２４とファン３０を配備した排風口２６とが備わっている。整流要素６０を、ファンホルダー３１に付加した整流板６１と、配線基板４０に搭載したトランス４２によって形成する。整流板６１をドライブユニット５０の後方に配置し、整流板６１とドライブユニット５０との隙間にトランス４２を位置させる。【選択図】        図１
2005293796.tif 000002
【特許請求の範囲】
【請求項１】
配線基板とドライブユニットとを収容する筐体の壁部に通風口とファンが配備された排風口とが備わっている光ディスク装置において、
上記通風口が上記ドライブユニットの左右両側方前側に位置し、ファンが上記ドライブユニットの後方に位置していると共に、上記ファンを回転駆動することによって上記通風口から筐体の内部に吸い込まれた空気流を、上記ドライブユニットの内部を通して当該ファンに導いて排風口から排気させる整流要素を備え、
その整流要素が、上記筐体に取り付けられて上記ファンを上記排風口に配備しているファンホルダーに付加されて上記筐体の内部に配備されている整流板と、上記配線基板に搭載されて上記整流板及び上記ドライブユニットの相互間の隙間に位置している電気部品としてのトランスを含んでいると共に、上記整流板が、上記ドライブユニットの後方でそのドライブユニットの後面に臨む空気受入口を形成し、かつ、上記トランスが、上記ドライブユニットの高さと略同等の高さを有していることを特徴とする光ディスク装置。
【請求項２】
配線基板とドライブユニットとを収容する筐体の壁部に通風口とファンが配備された排風口とが備わっている光ディスク装置において、
上記ファンを回転駆動することによって上記通風口から筐体の内部に吸い込まれた空気流を、上記ドライブユニットの内部を通して当該ファンに導いて排風口から排気させる整流要素を備え、その整流要素が、上記筐体に取り付けられて上記ファンを上記排風口に配備しているファンホルダーに付加された整流板を備えていることを特徴とする光ディスク装置。
【請求項３】
上記整流板が、上記ファンホルダーに取り付けられて上記筐体の内部に配備されている請求項２に記載した光ディスク装置。
【請求項４】
上記通風口が上記ドライブユニットの側方に位置し、上記整流板が、上記ドライブユニットの後方でそのドライブユニットの後面に臨む空気受入口を形成している請求項３に記載した光ディスク装置。
【請求項５】
上記整流板の筐体の内部への出幅を縮小してその整流板とドライブユニットとの間隔を拡げ、その整流板とドライブユニットとの相互間に、上記配線基板に搭載されて上記整流板と共に上記整流要素を形成する電気部品が配備されている請求項４に記載した光ディスク装置。
【請求項６】
上記電気部品が、上記ドライブユニットの高さと略同等の高さを有するトランスである請求項５に記載した光ディスク装置。
【発明の詳細な説明】
【技術分野】
【０００１】
本発明は、光ディスク装置、特に筐体の内部で冷却用の空気流を生じさせるファンを備えた光ディスク装置に関する。
【背景技術】
【０００２】
従来、光ディスクと電子部品を搭載した配線基板とを収容したケースの内部を、中間ケースによって光ディスクを収納する第１の空間領域と電子部品を収納する第２の空間領域とに分離するという構成を採用することによって、電子部品による発熱の影響を光ディスクに及びにくくするという技術や、ケースの内部で光ディスクが回転することによって生じる空気の流れを冷却に利用するという技術が知られている（たとえば特許文献１参照）。また、基板に取り付けられた回路素子の過熱を防止する技術や情報処理装置内部の冷却効率化を図るための技術が提案されている（たとえば特許文献２又は特許文献３）。
【０００３】
このうち、特許文献２に記載されているディスク装置を図６に概念的に示してあり、特許文献３に記載されている冷却ファン付きＣＤ−ＲＯＭドライブを図７に断面図で示してある。特許文献２に記載されているディスク装置では、図６のように、フロントパネル１の通風口２から入り込んだ空気が、基板３に設けられた開口４を通って基板３とその上部のユニットメカ５の間の空間を通過し、メインフレーム６の外側に取り付けられたファン７によって矢印のようにディスク装置の外へ導かれるようになっている。そして、これによると、基板３の上部に設けられた回路素子の発熱による温度上昇が低減されるとされている。また、特許文献３に記載されているディスク装置では、図７のように、ＣＤ−ＲＯＭディスクＤを回転させるためのスピンドル軸８の一端に設けた冷却ファン９に、その冷却ファン９を取り囲む整流用のファンフレーム１０を具備させ、かつ、そのファンフレーム１０をボトムフレーム１１の外側に垂直に設けてあり、この構成によって情報処理装置内部の冷却効率化が図られるとされている。
【特許文献１】特開２００３−２４９０６７号公報
【特許文献２】特開２０００−３５８６号公報
【特許文献３】特開平１０−１７２２７７号公報
【発明の開示】
【発明が解決しようとする課題】
【０００４】
しかしながら、特許文献１に記載されているものはケースの内部で生じる空気の自然流、あるいは、光ディスクの回転に伴って発生する空気流を冷却に利用しているに過ぎず、そのような冷却方式では、光ディスクのドライブユニットなどで生じる発熱を十分に抑制することができない場合がある。
【０００５】
これに対し、特許文献２や特許文献３に記載されているものは、ファンを回転させることによって強制的に空気流を生じさせるものであるので、特許文献１のものに比べるとそれだけ冷却に使われる風量が多くなって冷却効果が高まるものと考えられる。
【０００６】
しかしながら、特許文献２の技術では、筐体に相当しているメインフレーム６の内側の空気をそのメインフレームに取り付けたファンによって外部に排出するという作用が発揮されるだけであり、特許文献３の技術では、筐体に相当しているボトムフレーム１１に整流用のファンフレーム１０を具備させ、冷却ファン９によってボトムフレーム１１の内部の空気を外部に排出するという作用が発揮されるだけである。
【０００７】
このことから、特許文献２や特許文献３に記載されている技術では、ファンの回転によって筐体の内部で発生する空気流の流れ経路を筐体の内部で制御することができない。そのため、光ディスク装置において、たとえば筐体の内部の所定箇所に発熱を伴うドライブユニットが配備されていて、そのドライブユニットの片側又は両側に比較的広い空間が形成されているような場合には、特許文献２や特許文献３の技術を適用したとしても、ファンを回転させることによって筐体の内部に発生した空気流が、流れ抵抗の少ないドライブユニットの左右両側の空間を多く通過してドライブユニットの発熱を抑制することに効率よく使われなくないという問題を生じる。
【０００８】
ところで、筐体の内部で空気流を制御してドライブユニットの内部でより多くの空気流を流通させる手段としては、従来より整流板のような仕切り部材を単体部品として所定箇所に設置することが一般的に行われている。しかしながら、そのようにすると、整流板の設置スペースを余分に確保することが不可欠になり、整流板の他にその設置のために必要な止具などの必要部品点数が増えるという問題がある。
【０００９】
本発明は以上の問題に鑑みてなされたもので、光ディスク装置において、ファンを回転させることによって発生する筐体の内部の空気流が特にドライブユニットの内部を経由して筐体の外部に排出されるように、その空気流を整流要素を用いて制御することを基本とし、その場合に、整流要素を筐体の壁部の排風口にファンを配備しているファンホルダーを利用して筐体の内部の空きスペースに設置することができるようにし、そうすることにより部品点数の削減といった部品の合理化を図った上で筐体の内部での冷却効果を高めることのできる光ディスク装置を提供することを目的とする。
【００１０】
また、本発明は、ドライブユニットやそのドライブユニットの駆動に必要な電気部品の配線基板上でのレイアウトを筐体の内部の空気流の制御のために活用することによって、整流のために付加することが必要になる部品を小形化することが可能な光ディスク装置を提供することを目的とする。
【課題を解決するための手段】
【００１１】
本発明に係る光ディスク装置は、配線基板とドライブユニットとを収容する筐体の壁部に通風口とファンが取り付けられた排風口とが備わっている。また、上記ファンを回転駆動することによって上記通風口から筐体の内部に吸い込まれた空気流を、上記ドライブユニットの内部を通して当該ファンに導いて排風口から排気させる整流要素を備え、その整流要素が、上記筐体に取り付けられて上記ファンを上記排風口に配備しているファンホルダーに付加された整流板を備えている。
【００１２】
この構成を備えた光ディスク装置によると、ファンを回転させることによって筐体の内部で発生した空気流の流れ経路が、整流要素によって筐体の内部で制御される。そして、筐体の内部で制御された多くの空気流がドライブユニットの内部を経由した後に筐体の外部に排出される。そのため、ドライブユニットの左右両側に空間があっても、筐体の内部で発生した空気流がドライブユニットの発熱を抑えることに有効に使われて冷却効果が向上する。また、この発明では、整流要素としての整流板が、筐体に取り付けられてファンを排風口に配備しているファンホルダーに付加されているという構成を採用したことにより、整流要素としての整流板が付加されているとしてもその整流板がファンホルダーの手前側の空きスペースに配備されるようになるだけでなく、整流のために部品（整流板）を付加しているとしても、その部品がファンホルダーに付加されている過ぎないため、部品の合理化を図った上で筐体の内部での冷却効果を高めることが可能になる。この作用は、上記整流板が、上記ファンホルダーに取り付けられて上記筐体の内部に配備されているという構成を採用することによって顕著に発揮される。
【００１３】
本発明では、上記通風口が上記ドライブユニットの側方に位置し、上記整流板が、上記ドライブユニットの後方でそのドライブユニットの後面に臨む空気受入口を形成しているという構成を採用することが可能であり、これによれば、筐体の内部で発生した空気流の流れ経路が整流板により制御されてドライブユニットの内部全体に行き渡りやすくなり、それだけドライブユニットの発熱を抑制する作用が顕著に発揮されるようになる。
【００１４】
本発明では、上記整流板の筐体の内部への出幅を縮小してその整流板とドライブユニットとの間隔を拡げ、その整流板とドライブユニットとの相互間に、上記配線基板に搭載されて上記整流板と共に上記整流要素を形成する電気部品が配備されている、という構成を採用することも可能である。これによれば、整流板を小形化して部品の合理化をいっそう促進することができるにもかかわらず、配線基板に搭載されている電気部品のレイアウトを活用して空気流の流れ経路が制御されるようになるので、整流要素による空気流の流れ経路の制御が、整流を行うために付加した部品すなわち整流板を小形化しても効果的に行われるようになるという利点がある。
【００１５】
本発明では、上記電気部品が、上記ドライブユニットの高さと略同等の高さを有するトランスである、という構成を採用することが可能であり、これによれば、トランスの形状を活用して空気流の流れ経路の制御が効率よく行われるようになり、しかも、発熱部品である当該トランスの冷却もその空気流によって効率よく行われるようになるという利点がある。
【００１６】
本発明に係る光ディスク装置は、配線基板とドライブユニットとを収容する筐体の壁部に通風口とファンが取り付けられた排風口とが備わっている光ディスク装置において、上記通風口が上記ドライブユニットの左右両側方前側に位置し、ファンが上記ドライブユニットの後方に位置していると共に、上記ファンを回転駆動することによって上記通風口から筐体の内部に吸い込まれた空気流を、上記ドライブユニットの内部を通して当該ファンに導いて排風口から排気させる整流要素を備え、その整流要素が、上記筐体に取り付けられて上記ファンを上記排風口に配備しているファンホルダーに付加されて上記筐体の内部に配備されている整流板と、上記配線基板に搭載されて上記整流板及び上記ドライブユニットの相互間の隙間に位置している電気部品としてのトランスを含んでいると共に、上記整流板が、上記ドライブユニットの後方でそのドライブユニットの後面に臨む空気受入口を形成し、かつ、上記トランスが、上記ドライブユニットの高さと略同等の高さを有している、という構成を採用することが可能である。この発明の作用は、後述する実施形態を参照して詳細に説明する。
【発明の効果】
【００１７】
以上のように、本発明に係る光ディスク装置は、ドライブユニットの内部で流通する空気流の量を多く確保することが可能になるので、ドライブユニットに組み込まれている光源としてのフォトダイオードのような発熱部品やその周辺部の冷却が効率よく行われて冷却効果が向上し、そのために、当該光ディスク装置の書込み読取り性能などの各種性能や耐久性が向上する。また、配線基板に搭載されているトランスなどの電気部品のレイアウトを空気流の流れ経路の制御に活用することが可能であるので、整流板を小形化して部品の合理化を促進しやすくなるという効果が奏される。
【発明を実施するための最良の形態】
【００１８】
図１は本発明に係る光ディスク装置の部品レイアウトを示した概略斜視図、図２はファン３０とファンホルダー３１と整流板６１とを示した分解斜視図である。また、図３は要部の概略側面図、図４は同概略平面図である。
【００１９】
図１〜図４において、２０は筐体であり、この筐体２０は、ボトムケース２１とそのボトムケース２１に装着されるトップカバー２２と図示していないフロントパネルとにより形成され、偏平な横長矩形箱体としての外観形状を有している。トップカバー２２の側板によって形成される筐体２０の左右の側壁部２３，２３の前端部に多数のスリットでなる通風口２４，２４が備わっているのに対し、ボトムケース２１の背板によって形成される筐体２０の後壁部２５に排風口２６が備わっている。
【００２０】
図２のように、ファン３０は枠フレームでなるファンホルダー３１に回転自在に取り付けられている。また、図４のように、ファンホルダー３１を筐体２０の後壁部２５にビス止めすることによってファン３０が排風口２６に配備されている。
【００２１】
ボトムケース２１には配線基板４０とドライブユニット５０とが収容されている。ドライブユニット５０は、枠フレーム５１やディスクトレイ５２などを備えていると共に、枠フレーム５１の内側に、フォトダイオードなどの発熱源となる電気部品や電子部品のほか、光学系を形成するレンズやミラー、ディスクが載架されるターンテーブル、ターンテーブルを回転させるためのモータなどが収容されている。また、枠フレーム５１の上面や下面、さらに前面や後面には隙間や開口が備わっていて、それらの隙間や開口を通して内外を空気が流通することができるようになっているのに対し、左右の側面は一部に開口部分が形成されてはいるものの、その大半は側壁５３によって覆われている。しかも、このドライブユニット５０は筐体２０の左右方向略中央部に配備されてその左右に広い空間Ｓ１，Ｓ２が形成されていると共に、取付ビス５４によって複数箇所がボトムケース２１の底板に取り付けられ、ドライブユニット５０の下面とボトムケース２１の底板との間には通風が可能な隙間が確保されている。一方、配線基板４０にはドライブユニット５０の駆動に必要な電気部品や電子部品が所定のレイアウトで搭載されている。そして、その配線基板４０の複数箇所が、取付ビス４１によってボトムケース２１の底板に取り付けられ、しかも、配線基板４０とボトムケース２１の底板との間に通風可能な隙間空間Ｓ３が形成されている。
【００２２】
以上の構成の光ディスク装置では、通風口２４，２４がドライブユニット５０の左右両側方前側に位置し、ファン３０がドライブユニット５０の後方に位置している。したがって、ファン３０を回転駆動させて左右の通風口２４，２４から筐体２０の内部に空気を吸い込ませると、筐体２０の内部に吸い込まれた空気が筐体２０の内部で空気流を生じ、ファン３０によって排風口２６から筐体２０の後方へ排気される。この場合、空気流は筐体２０の内部の空間Ｓ１，Ｓ２、隙間空間Ｓ３を流通するほか、その一部はドライブユニット５０の枠フレーム５１に備わっている隙間や開口からその内部に入って流通する。したがって、筐体２０の内部で生じた空気流が、ドライブユニット５０のフォトダイオードなどの発熱源となる電気部品や電子部品の発熱を抑制したりモータの発熱を抑制したりすることに役立つ。
【００２３】
しかしながら、筐体２０の内部の空気流は、流れ抵抗の大きな箇所であるドライブユニット５０の枠フレーム５１の内部よりも、流れ抵抗の小さな箇所であるドライブユニット５０の左右の空間Ｓ１，Ｓ２などをより多く流通するので、筐体２０の内部で生じた空気流によって、ドライブユニット５０のフォトダイオードなどの発熱源となる電気電子部品の発熱が十分に抑制されるとは限らない。
【００２４】
そこで、この実施形態では整流要素６０を設けてある。この整流要素６０は、左右の通風口２４，２４から筐体２０の内部に吸い込まれた空気流をドライブユニット５０の内部を通してファン３０に導き、排風口２６から排気させるために設けられている。図１、図３又は図４のように、図例の整流要素６０は、筐体２０の後壁部２５に取り付けられているファンホルダー３１に付加された整流板６１と、配線基板４０に搭載された電気部品としてのトランス４２とを含んでいる。
【００２５】
さらに詳しく説明すると、整流板６１は図２のように後端部にファンホルダー３１に対する位置決め突起６２や取付ボス６３を備えていると共に、上板部６４とその上板部６４の片側端部から垂設された側板部６５とを備えている。そして、位置決め凸部６２をファンホルダー３１の位置決め孔３２に嵌め、かつ、筐体２０の後壁部２５のビス孔（不図示）とファンホルダー３１のビス孔（不図示）とに挿通させた取付ビス３３を取付ボス６３にねじ込んで締め付けることによって、その整流板６１が筐体２０の後壁部２５に取り付けられている。この取付状態では、整流板６１が筐体２０の内部に配備されて、上板部６４と側板部６５とが前側と片側とで開口する空気受入口６６を形成しており、その空気受入口６６がドライブユニット５０の後方でそのドライブユニット５０の後面の片側に偏った箇所に臨んでいる。なお、整流板６１を図示のように上板部６４と側板部６５とによりＬ字形に形成しておくと、その整流板６１がファンホルダー３１を補強することに役立つという利点がある。
【００２６】
この実施形態では、上記整流板６１の筐体２０の内部のへの出幅、すなわち筐体２０の後壁部２５からの整流板６１の前方への出幅を短く抑えることによって、整流板６１の空気受入口６６とドライブユニット５０との前後方向の間隔を拡げ、そうすることによって形成された整流板６１の側板部６５とドライブユニット５０との相互間隙間に、配線基板４０に搭載されている電気部品であるトランス４２を配備してある。このトランス４２は、ドライブユニット５０の駆動に必要な電気部品の一例であって、ドライブユニット５０の高さと略同等の高さを有しており、それ自体が発熱源である。
【００２７】
以上のように構成された光ディスク装置では、ドライブユニット５０の枠フレーム５１の側壁５３とトランス４２と整流板６１の側板部６５とが前後方向に並んでいるので、筐体２０の内部で生じた空気流の流れ経路がそれら三者によって制御される。すなわち、図４に示したように、ファン３０が回転駆動されることによって片側（右側）の通風口２４から筐体２０の内部に吸い込まれた空気の流れＦは、ドライブユニット５２の側壁５３、トランス４２、整流板６１の側板部６５などによって直接にファン３０に到達することが制限されるようになる。そのため、筐体２０の内部には、ドライブユニット５２の側壁５３とトランス４２との隙間、トランス４２と整流板６１の側板部６５との隙間から整流板６１の空気受入口６６を通過してファン３０に導かれる空気流Ｆ１，Ｆ２のほか、ドライブユニット５０の枠フレーム５１の隙間や開口からその内部に流入した後にその枠フレーム５１から出て整流板６１の空気受入口６６を通過しファン３０に導かれる空気流Ｆ３などが必ず生じることに加え、特に上記三者によって上記空気流Ｆ１，Ｆ２の量が制限されて枠フレーム５１の内部に流入する空気流が増大する。そのため、ドライブユニット５０に組み込まれている発熱源であるフォトダオードやモータが空気流Ｆ１により十分に冷却されてそれらの発熱が十分に抑えられる。また、発熱源であるトランス４２には枠フレーム５１に流入しない空気流が衝突したりそのトランス４２の周囲の空気流Ｆ１，Ｆ２が接触したりして十分な冷却作用が加えられる。したがって、筐体２０の内部で生じた空気流が、ドライブユニット５０やその発熱源であるフォトダオードやモータの冷却に十分に利用されると同時に、配線基板４０に搭載されている発熱源であるトランス４２の冷却にも十分に利用されるようになり、全体としてファン３０により優れた冷却効果が発揮されるようになる。
【００２８】
一方、ファン３０が回転駆動されることによって他側（左側）の通風口２４から筐体２０の内部に吸い込まれた空気の流れＦ’は、筐体２０の内部でドライブユニット５０の内部や外部を通過して整流板６１の空気受入口６６（図１参照）からファン３０に達し、排風口２６から外部に排気される。したがって、この空気流もドライブユニット５０や配線基板４０に搭載されている電気部品や電子部品を冷却することに役立つ。
【００２９】
以上説明した実施形態では、整流要素６０を整流板６１と電気部品としてのトランス４２とによって形成した事例を説明したけれども、整流要素６０を整流板だけによって形成することも可能である。その事例を図５を参照して次に説明する。
【００３０】
図５は他の実施形態による光ディスク装置の要部の概略側面図である。この実施形態は、配線基板４０での各種電気部品や電子部品のレイアウトの関係から、図１、図３及び図４に示したトランス４２をドライブユニット５０と整流板６１との相互間に位置させることかてきない場合の事例であり、この場合には、図示のように整流板６１の出幅を長くしてドライブユニット５０に近付けておくことが望ましい。こうしておくと、整流板６１が筐体２０の内部で生じた空気流を制御する作用を発揮し、ドライブユニット５０の枠フレーム５１の内部に流入する空気流が増大するので、ドライブユニット５０に組み込まれている発熱源であるフォトダオードやモータがその空気流により十分に冷却されてそれらの発熱が十分に抑えられる。
【００３１】
ところで、整流要素６０に、図１〜図４で説明した実施形態のように整流板６１とトランス４２とを含ませる場合と、整流板６１だけを含ませる場合とを比較すると、前者は整流板６１の出幅が後者のそれに比べて縮小されている分だけ整流板６１が小形化されている。そのため、前者の場合には、整流板６１の小形化が促進されてその整流板６１の材料コストが安く付くという利点がある。
【００３２】
以上説明した各実施形態では、ファン３０を配備した排風口２６が筐体２０の後壁部２５の中央部ないしその中央部から少しだけ偏った箇所に形成されているけれども、この点は、排風口を筐体の後壁部の左右いずれかの端部に設けてもおくことも可能である。
【図面の簡単な説明】
【００３３】
【図１】本発明に係る光ディスク装置の部品レイアウトを示した概略斜視図である。
【図２】ファンとファンホルダーと整流板とを示した分解斜視図である。
【図３】要部の概略側面図である。
【図４】要部の概略平面図である。
【図５】他の実施形態に係る光ディスク装置の要部の概略側面図である。
【図６】従来例を概念で示した説明図である。
【図７】他の従来例の概略断面図である。
【符号の説明】
【００３４】
４０  配線基板
５０  ドライブユニット
２０  筐体
２３  側壁部（壁部）
２５  後壁部（壁部）
２４  通風口
３０  ファン
２６  排風口
Ｆ，Ｆ’，Ｆ１，Ｆ２，Ｆ３  空気流
６０  整流要素
３１  ファンホルダー
６１  整流板
４２  トランス（電気部品）
６６  空気受入口
【図１】
2005293796.tif 000003
【図２】
2005293796.tif 000004
【図３】
2005293796.tif 000005
【図４】
2005293796.tif 000006
【図５】
2005293796.tif 000007
【図６】
2005293796.tif 000008
【図７】
2005293796.tif 000009